(57)【要約】【課題】公衆ネットワークに移動体通信網経由で接続された移動体通信装置の各種設定を携帯端末から移動体通信網経由で行えるようにする。【解決手段】移動体通信装置は、設定を行うことが検出された場合、移動体通信網を介して公衆ネットワークに接続し、公衆ネットワークに予め接続されているサーバー手段に接続時の自機のグローバルネットワークアドレスを含む設定用ＵＲＬと自機のＩＤを通知する。一方、ユーザは携帯端末からサーバー手段にＩＤを記載したメールを送信する。サーバ手段は、移動体通信装置及び携帯端末からの双方のメールからＩＤを読出し、両者が一致するか否かを確認し、一致する場合に、移動体通信装置から送信されてきたグローバルネットワークアドレスを含む設定用ＵＲＬを携帯端末に送信する。これによって、ユーザは返信されてきた電子メールの本文に記載してある設定用ＵＲＬにアクセスし、移動体通信装置の設定を行うことができる。【選択図】図１
2007184886.tif 000002
【特許請求の範囲】
【請求項１】
第２の場所から離間した第１の場所に位置する通信端末手段から移動体通信網を介して接続があり、前記通信端末手段のＩＤ情報と予め登録されたＩＤ情報とが一致している場合に、前記第２の場所に設置された電子機器手段を移動体通信網を介してネットワーク手段に接続し、前記電子機器手段に関する情報を前記ネットワーク手段に配信すると共に前記電子機器手段が前記ネットワーク手段に接続したときに割り当てられるネットワークアドレスを含む電子メールを予め登録された前記ＩＤ情報に対応する電子メールアドレスに送信することによって、前記電子機器手段から配信される情報を前記通信端末手段で受信できるように構成された移動体通信装置制御システムにおいて、
前記通信端末手段で受信可能な電子メールアドレス及び電話番号の少なくとも一つが前記電子機器手段側に登録されている前記ＩＤ情報に対応する電子メールアドレス及び電話番号の少なくとも一つと異なる場合、前記電子機器手段が前記ネットワーク手段に接続したときに割り当てられる前記ネットワークアドレスを含む電子メールを前記通信端末手段の電子メールアドレスに送信する情報送信手段を備えたことを特徴とする移動体通信装置制御システム。
【請求項２】
第１の場所からネットワーク手段に接続されることによって前記ネットワーク手段上に配信される情報を受信して処理する通信端末手段と、
前記通信端末手段から移動体通信網を介して接続があり、前記通信端末手段のＩＤ情報と予め登録されたＩＤ情報とが一致している場合に、前記第１の場所から離間した第２の場所に設置された電子機器手段を移動体通信網を介してネットワーク手段に接続し、前記電子機器手段に関する情報を前記ネットワーク手段に配信すると共に前記電子機器手段が前記ネットワーク手段に接続したときに割り当てられるネットワークアドレスを含む電子メールを予め登録された前記ＩＤ情報に対応する電子メールアドレスに送信することによって、前記電子機器手段から配信される情報を前記通信端末手段で受信できるように構成された移動体通信手段と、
前記通信端末手段で受信可能な電子メールアドレス及び電話番号の少なくとも一つが前記電子機器手段側に登録されている前記ＩＤ情報に対応する電子メールアドレス及び電話番号の少なくとも一つと異なる場合、前記電子機器手段が前記ネットワーク手段に接続したときに割り当てられる前記ネットワークアドレスを含む電子メールを前記通信端末手段の電子メールアドレスに送信する情報送信手段と
を備えたことを特徴とする移動体通信装置制御システム。
【請求項３】
請求項１又は２に記載の移動体通信装置制御システムにおいて、
前記情報送信手段は、
前記電子機器手段又は前記移動体通信手段側に設けられた設定モードボタンが操作された場合に、前記電子機器手段又は前記移動体通信手段を前記移動体通信網を介して前記ネットワーク手段に接続すると共に前記電子機器手段又は前記移動体通信手段に予め登録された前記ＩＤ情報を含む電子メールを送信するＩＤ情報送信手段と、
前記通信端末手段から送信される前記ＩＤ情報を含む電子メールを受信し、前記ＩＤ情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段の設定用のネットワークアドレスを含む電子メールを前記通信端末手段の電子メールアドレスに送信するサーバー手段と
を含んで構成されることを特徴とする移動体通信装置制御システム。
【請求項４】
請求項１又は２に記載の移動体通信装置制御システムにおいて、
前記情報送信手段は、
前記電子機器手段又は前記移動体通信手段側に設けられた設定モードボタンが操作された場合に、前記電子機器手段又は前記移動体通信手段を前記移動体通信網を介して前記ネットワーク手段に接続すると共に前記電子機器手段又は前記移動体通信手段に予め登録された前記ＩＤ情報を含む電子メールを送信するＩＤ情報送信手段と、
前記通信端末手段から送信される前記ＩＤ情報を含む電子メールを受信し、前記ＩＤ情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段側に登録されている前記ＩＤ情報を前記通信端末手段の前記ＩＤ情報に変更するサーバー手段と
を含んで構成されることを特徴とする移動体通信装置制御システム。
【請求項５】
請求項１又は２に記載の移動体通信装置制御システムにおいて、
前記情報送信システムは、
前記通信端末手段から移動体通信網を介して接続があり、前記通信端末手段のＩＤ情報と予め登録されたＩＤ情報とが一致している場合に、前記電子機器手段又は前記移動体通信手段を前記移動体通信網を介して前記ネットワーク手段に接続して前記電子機器手段又は前記移動体通信手段に関する情報を前記ネットワーク手段に配信すると共に前記電子機器手段又は前記移動体通信手段が前記ネットワーク手段に接続したときに割り当てられるネットワークアドレス及び前記電子機器手段又は前記移動体通信手段に予め登録された前記ＩＤ情報を含む電子メールを送信する情報送信手段と、
前記通信端末手段から送信される前記ＩＤ情報を含む電子メールを受信し、前記情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段の設定用のネットワークアドレスを含む電子メールを前記通信端末手段の電子メールアドレスに送信するサーバー手段と
を含んで構成されることを特徴とする移動体通信装置制御システム。
【請求項６】
請求項１又は２に記載の移動体通信装置制御システムにおいて、
前記情報送信手段は、
前記通信端末手段又は前記移動体通信手段から移動体通信網を介して接続があり、前記通信端末手段のＩＤ情報と予め登録されたＩＤ情報とが一致している場合に、前記電子機器手段又は前記移動体通信手段を前記移動体通信網を介して前記ネットワーク手段に接続して前記電子機器手段又は前記移動体通信手段に関する情報を前記ネットワーク手段に配信すると共に前記電子機器手段又は前記移動体通信手段が前記ネットワーク手段に接続したときに割り当てられるネットワークアドレス及び前記電子機器手段又は前記移動体通信手段に予め登録された前記ＩＤ情報を含む電子メールを送信する情報送信手段と、
前記通信端末手段から送信される前記ＩＤ情報を含む電子メールを受信し、前記情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段側に登録されている前記ＩＤ情報を前記通信端末手段の前記ＩＤ情報に変更するサーバー手段と
を含んで構成されることを特徴とする移動体通信装置制御システム。
【発明の詳細な説明】
【技術分野】
【０００１】
本発明は、携帯電話などの移動体通信装置が移動体通信網を介してインターネットなどの公衆ネットワークに接続された場合に、前記移動体通信装置を介して前記電子機器等を遠隔で制御することができると共に前記移動体通信装置の各種設定を遠隔で変更することができるように構成された移動体通信装置制御システムに関するものである。
【背景技術】
【０００２】
近年、携帯電話などの移動体通信端末の中には移動体通信網を介してインターネットのような公衆ネットワークに接続可能な機器も増えてきている。また、これら移動体通信網に接続される電子機器からの情報等をユーザの携帯端末側で確認するといった、公衆ネットワーク経由での移動体端末同士のデータのやりとりが増加してきている。例えば、カメラなどの電子機器等を携帯電話などの移動体通信装置を用いて移動体通信網経由で公衆ネットワークに接続するように構成し、この電子機器等を遠隔で操作するようにしたものがある。これは、移動体通信装置の通信可能エリアがその移動体通信網内にあればケーブルを敷設することが困難なところでも遠隔で電子機器等を制御可能であり、利便性が非常に高いものである。このようなものとしては、出願人が先に提案した特許文献１に記載のようなものがある。
【０００３】
しかしながら、一般的に移動体通信装置は、常に公衆ネットワークに接続しているわけではないため、ユーザの携帯端末から公衆ネットワーク経由で移動体通信装置にアクセスするためには、移動体通信装置が公衆ネットワーク網にアクセスした後に、その移動体通信装置のグローバルネットワークアドレスをユーザに通知する必要がある。特許文献１に記載のものは、このような処理を、移動体通信装置のグローバルアドレスをユーザの携帯端末宛てにメールなどで通知し、その後、携帯端末からグローバルアドレスに基づいて移動体通信装置にアクセスするようにしていた。なお、特許文献１に記載の処理を行うには、これら移動体通信装置に対して、ＬＡＮやシリアル通信等の有線経由でユーザの携帯端末のメールアドレス等の情報を予め設定しておく必要があった。
【０００４】
【特許文献１】特開２００４−３３６７３９号公報
【発明の開示】
【発明が解決しようとする課題】
【０００５】
特許文献１に記載されたもののように、移動体通信装置が遠隔地に設置されている場合には、ユーザが移動体通信装置の各種設定を行なう際に、ＬＡＮやシルアル通信等の有線での設定手段を持っていない場合がほとんである。従って、このような場合、移動体通信装置の販売店やメーカーに依頼して各種設定を行なわなければならないが、ユーザの携帯端末のメールアドレス等の個人情報を第三者である販売店やメーカーに渡さなければならないため、ユーザにとっては好ましくない場合がある。一方、移動体通信装置の販売店やメーカー側も個人情報保護法が施行され、個人情報の取り扱いに注意を払わなければならなくなったため、最低限必要な情報以外は取り扱いたくないという事情がある。また、ユーザが携帯端末のメールアドレスや電話番号等を変更するなどによって、移動体通信装置の情報を変更する必要が生じると、そのたびに販売店やメーカーに移動体通信装置の情報設定の変更依頼等をしなければならず、非常に不便であり、変更手数料等を支払うなど経済的な負担も大きくなるという問題がある。
【０００６】
本発明は、上述の点に鑑みなされたものであり、公衆ネットワークに移動体通信網経由で接続された移動体通信装置の各種設定を遠隔地から移動体通信網経由で行なうことのできる移動体通信装置制御システムを提供することを目的とする。
【課題を解決するための手段】
【０００７】
本発明の移動体通信装置制御システムの第１の特徴は、第２の場所から離間した第１の場所に位置する通信端末手段から移動体通信網を介して接続があり、前記通信端末手段のＩＤ情報と予め登録されたＩＤ情報とが一致している場合に、前記第１の場所に設置された電子機器手段を移動体通信網を介してネットワーク手段に接続し、前記電子機器手段に関する情報を前記ネットワーク手段に配信すると共に前記電子機器手段が前記ネットワーク手段に接続したときに割り当てられるネットワークアドレスを含む電子メールを予め登録された前記ＩＤ情報に対応する電子メールアドレスに送信することによって、前記電子機器手段から配信される情報を前記通信端末手段で受信できるように構成された移動体通信装置制御システムにおいて、前記通信端末手段で受信可能な電子メールアドレス及び電話番号の少なくとも一つが前記電子機器手段側に登録されている前記ＩＤ情報に対応する電子メールアドレス及び電話番号の少なくとも一つと異なる場合、前記電子機器手段が前記ネットワーク手段に接続したときに割り当てられる前記ネットワークアドレスを含む電子メールを前記通信端末手段の電子メールアドレスに送信する情報送信手段を備えたことにある。
【０００８】
本発明の移動体通信装置制御システムの第２の特徴は、第１の場所からネットワーク手段に接続されることによって前記ネットワーク手段上に配信される情報を受信して処理する通信端末手段と、前記通信端末手段から移動体通信網を介して接続があり、前記通信端末手段のＩＤ情報と予め登録されたＩＤ情報とが一致している場合に、前記第１の場所から離間した第２の場所に設置された電子機器手段を移動体通信網を介してネットワーク手段に接続し、前記電子機器手段に関する情報を前記ネットワーク手段に配信すると共に前記電子機器手段が前記ネットワーク手段に接続したときに割り当てられるネットワークアドレスを含む電子メールを予め登録された前記ＩＤ情報に対応する電子メールアドレスに送信することによって、前記電子機器手段から配信される情報を前記通信端末手段で受信できるように構成された移動体通信手段と、前記通信端末手段で受信可能な電子メールアドレス及び電話番号の少なくとも一つが前記電子機器手段側に登録されている前記ＩＤ情報に対応する電子メールアドレス及び電話番号の少なくとも一つと異なる場合、前記電子機器手段が前記ネットワーク手段に接続したときに割り当てられる前記ネットワークアドレスを含む電子メールを前記通信端末手段の電子メールアドレスに送信する情報送信手段とを備えたことにある。
【０００９】
通信端末手段は、モデム等の通信装置や移動体通信用カードを搭載した携帯用／据置き用のパーソナルコンピュータや携帯電話等の携帯端末などで構成される。電子機器手段は、カメラなどの電子機器等に携帯電話などの移動体通信装置が接続されたものや電子機器手段自身が移動体通信装置の機能を備えたものであり、移動体通信網経由でインターネットなどのネットワーク手段に接続されることによって電子機器手段に関する情報（カメラなどで撮影した画像情報等）をネットワーク手段上に配信する。本発明の第１の特徴は、電子機器手段自身が移動体通信装置の機能を備えたものに関し、第２の特徴は、電子機器等に携帯電話などの移動体通信装置が別途接続されるものに関する。このような移動体通信装置制御システムでは、通信端末手段の通信装置から移動体通信網を介して電子機器手段の移動体通信装置に接続すると、通信端末手段のＩＤ情報である発信者側電話番号と、電子機器手段側に予め登録されているＩＤ情報である電話番号とを比較判別し、両者一致している場合に、電子機器手段の移動体通信装置が移動体通信網経由でインターネットなどのネットワーク手段に接続し、情報を配信すると共にネットワーク手段に接続した時点で割り当てられるネットワークアドレスを含む電子メールをＩＤ情報である電話番号に対応する電子メールアドレスに送信する。通信端末手段は、この電子メールを受信し、そこに含まれるネットワークアドレスに基づいて配信される情報を取得し、その情報を処理することによって、取得された画像を表示したり、電子機器手段を遠隔で制御し、所望の画像を取得したりすることができるようになっている。
【００１０】
このような移動体通信装置制御システムにおいて、通信端末手段側の電子メールアドレスが変更された場合、電子機器手段側に登録してある電子メールアドレスを事前に変更設定できればよいが、現実には設定変更を事前に行うことは困難な場合がほとんどである。
この発明では、通信端末手段で受信可能な電子メールアドレスが電子機器手段側に登録されているＩＤ情報に対応する電子メールアドレスとは異なる場合、電子機器手段がネットワーク手段に接続したときに割り当てられるネットワークアドレスを含む電子メールを前記通信端末手段の電子メールアドレスに送信する情報送信手段を設けるようにした。
【００１１】
この情報送信手段は、移動体通信装置側に設けられた設定モードボタンがユーザによって操作されたことを検出することによって、又は通信端末手段の通信装置が移動体通信網を介して電子機器手段の移動体通信装置に接続したことによって、移動体通信装置移動体通信網経由で移動体通信装置が接続契約をしているＩＳＰ（Ｉｎｔｅｒｎｅｔ  Ｓｅｒｖｉｃｅ  Ｐｒｏｖｉｄｅｒ）に接続すると共にＩＳＰから割振られたグローバルネットワークアドレスを含む設定用ＵＲＬと移動体通信装置側のＩＤ情報を記載したメールをネットワーク手段を経由して別途設けられたサーバー手段に送信する。設定モードボタンを操作してから又は通信端末手段を電子機器手段の移動体通信装置に接続してから、所定時間内に通信端末手段側では、接続契約をしているＩＳＰ経由でサーバー手段に通信端末手段側のＩＤ情報を記載したメールを送信する。
【００１２】
サーバー手段は、移動体通信装置から送信されてきたメールの本文に記載されているＩＤ情報と通信端末手段から送信されてきたメールの本文に記載してあるＩＤ情報を比較し、両方のＩＤ情報が同一であった場合、通信端末手段に対して移動体通信装置より送信されてきたメールの本文に記載してあるグローバルアドレスを含む設定用ＵＲＬを、通信端末手段へのメール本文に転記した後、そのメールを通信端末手段に送信する。通信端末手段側では、返信されてきたメールの本文に記載されている移動体通信装置のグローバルアドレスを含む設定用ＵＲＬにアクセスすることで、移動体通信装置側のＷＷＷサーバを経由し、移動体通信装置の設定を行うことが可能となり、移動体通信装置に通信端末手段の情報を予め設定していなくても通信端末手段側から移動体通信装置側の設定上の追加・修正等を適宜行うことが可能となる。なお、ここで比較するＩＤ情報としては、通信端末手段に割り当てられている電話番号及び／又は移動体通信装置に割り当てられている電話番号を使用するものとするが、これ以外に通信端末手段及び移動体通信装置を特定することが可能な情報をＩＤ情報として用いるようにしてもよい。例えば、通信端末手段側が固定のグローバルアドレスを使用している場合にはそれをＩＤ情報として使用することも可能である。
【００１３】
本発明の移動体通信装置制御システムによれば、移動体通信装置に予め通信端末手段の情報を設定していなくても、あるいは通信端末手段のメールアドレスや電話番号等の変更が行われた後からでも移動体通信装置に通信端末手段からアクセスすることができ、移動体通信装置の設定を行うことが可能になる。また、移動体通信装置が通信端末手段の近くではなく、遠隔地に存在していても通信端末手段側から移動体通信装置側の各種設定を行うことが可能になる。
【００１４】
本発明の移動体通信装置制御システムの第３の特徴は、前記第１又は第２の特徴に記載の移動体通信装置制御システムにおいて、前記情報送信手段が、前記電子機器手段又は前記移動体通信手段側に設けられた設定モードボタンが操作された場合に、前記電子機器手段又は前記移動体通信手段を前記移動体通信網を介して前記ネットワーク手段に接続すると共に前記電子機器手段又は前記移動体通信手段に予め登録された前記ＩＤ情報を含む電子メールを送信するＩＤ情報送信手段と、前記通信端末手段から送信される前記ＩＤ情報を含む電子メールを受信し、前記ＩＤ情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段の設定用のネットワークアドレスを含む電子メールを前記通信端末手段の電子メールアドレスに送信するサーバー手段とを含んで構成されることにある。
これは、移動体通信装置側に設けられた設定モードボタンがユーザによって操作された場合に、移動体通信装置側の各種設定をユーザの通信端末側から移動体通信網経由で行なうようにしたものである。
【００１５】
本発明の移動体通信装置制御システムの第４の特徴は、前記第１又は第２の特徴に記載の移動体通信装置制御システムにおいて、前記情報送信手段が、前記電子機器手段又は前記移動体通信手段側に設けられた設定モードボタンが操作された場合に、前記電子機器手段又は前記移動体通信手段を前記移動体通信網を介して前記ネットワーク手段に接続すると共に前記電子機器手段又は前記移動体通信手段に予め登録された前記ＩＤ情報を含む電子メールを送信するＩＤ情報送信手段と、前記通信端末手段から送信される前記ＩＤ情報を含む電子メールを受信し、前記ＩＤ情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段側に登録されている前記ＩＤ情報を前記通信端末手段の前記ＩＤ情報に変更するサーバー手段とを含んで構成されることにある。
これは、移動体通信装置側に設けられた設定モードボタンがユーザによって操作された場合に、移動体通信装置側の各種設定をサーバー手段が自動的に行なうようにしたものである。
【００１６】
本発明の移動体通信装置制御システムの第５の特徴は、前記第１又は第２の特徴に記載の移動体通信装置制御システムにおいて、前記情報送信システムが、前記通信端末手段から移動体通信網を介して接続があり、前記通信端末手段のＩＤ情報と予め登録されたＩＤ情報とが一致している場合に、前記電子機器手段又は前記移動体通信手段を前記移動体通信網を介して前記ネットワーク手段に接続して前記電子機器手段又は前記移動体通信手段に関する情報を前記ネットワーク手段に配信すると共に前記電子機器手段又は前記移動体通信手段が前記ネットワーク手段に接続したときに割り当てられるネットワークアドレス及び前記電子機器手段又は前記移動体通信手段に予め登録された前記ＩＤ情報を含む電子メールを送信する情報送信手段と、前記通信端末手段から送信される前記ＩＤ情報を含む電子メールを受信し、前記情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段の設定用のネットワークアドレスを含む電子メールを前記通信端末手段の電子メールアドレスに送信するサーバー手段と
を含んで構成されることにある。
これは、通信端末手段の通信装置が移動体通信網を介して電子機器手段の移動体通信装置に接続した場合に、移動体通信装置側の各種設定をユーザの通信端末側から移動体通信網経由で行なうようにしたものである。
【００１７】
本発明の移動体通信装置制御システムの第６の特徴は、前記第１又は第２の特徴に記載の移動体通信装置制御システムにおいて、前記情報送信手段が、前記通信端末手段又は前記移動体通信手段から移動体通信網を介して接続があり、前記通信端末手段のＩＤ情報と予め登録されたＩＤ情報とが一致している場合に、前記電子機器手段又は前記移動体通信手段を前記移動体通信網を介して前記ネットワーク手段に接続して前記電子機器手段又は前記移動体通信手段に関する情報を前記ネットワーク手段に配信すると共に前記電子機器手段又は前記移動体通信手段が前記ネットワーク手段に接続したときに割り当てられるネットワークアドレス及び前記電子機器手段又は前記移動体通信手段に予め登録された前記ＩＤ情報を含む電子メールを送信する情報送信手段と、前記通信端末手段から送信される前記ＩＤ情報を含む電子メールを受信し、前記情報送信手段から送信される前記電子機器手段又は前記移動体通信手段に予め登録された前記ＩＤ情報を含む電子メールを受信し、それぞれの電子メールに含まれる前記ＩＤ情報を比較し、両者が一致する場合に、前記電子機器手段又は前記移動体通信手段側に登録されている前記ＩＤ情報を前記通信端末手段の前記ＩＤ情報に変更するサーバー手段とを含んで構成されることにある。
これは、通信端末手段の通信装置が移動体通信網を介して電子機器手段の移動体通信装置に接続した場合に、移動体通信装置側の各種設定をサーバー手段が自動的に行なうようにしたものである。
【発明の効果】
【００１８】
本発明の移動体通信装置制御システムによれば、公衆ネットワークに移動体通信網経由で接続された移動体通信装置の各種設定を遠隔地から移動体通信網経由で行なうことができるという効果がある。
【発明を実施するための最良の形態】
【００１９】
本発明の実施の形態について、図面を用いて説明する。
図１は、本発明に係る移動体通信装置制御システムの基本構成を示す図である。この実施の形態に係る移動体通信装置制御システムは、移動体通信装置１、制御用サーバー２、移動体通信網３１，３２、有線通信網４、ＩＳＰ（Ｉｎｔｅｒｎｅｔ  Ｓｅｒｖｉｃｅ  Ｐｒｏｖｉｄｅｒ）５１〜５３、インターネットなどの公衆ネットワーク６、ユーザ携帯端末７から構成される。
【００２０】
図１において、移動体通信装置１は、設定モードボタン１０、設定モード検出部１１、移動体通信制御部１２、メール送信部１３、ＩＤ情報格納部１４、ＷＷＷサーバー１５及び設定情報格納部１６から構成される。
【００２１】
設定モードボタン１０は、ユーザによって操作される操作子（ボタン）である。設定モード検出部１１は、この設定モードボタン１０をユーザが操作したことを検出し、操作された時点でその設定を行うタイミングを示す信号（設定要求信号）をメール送信部１３に出力する。移動体通信制御部１２は、移動体通信装置１のメール送信部１３及びＷＷＷサーバー１５を移動体通信網３１、ＩＳＰ５１を介して、公衆ネットワーク６に接続するものである。メール送信部１３は、設定モード検出部１１からの設定要求信号を入力することによって、移動体通信制御部１２に公衆ネットワーク６への接続を要求し、接続が完了した時点でＩＤ情報格納部１４に格納されているＩＤ情報を記録したメールを制御用サーバー２に送信する。ＷＷＷサーバー１５は、移動体通信制御部１２が公衆ネットワーク６に接続された時点で外部からの要求に応じて設定情報格納部１６に格納されている各種設定情報の更新等を行なうことができるように設定情報更新ユーザインタフェースをユーザに提供するものである。なお、ここでは図示していないが、ＷＷＷサーバ１５には、特許文献１に記載されているようなネットワークカメラシステムやテレメトリングシステムが接続され、このネットワークカメラシステムによって撮影された電子画像やこのテレメタリングシステムによって収集された機器情報が公衆ネットワーク６を介してユーザ携帯端末７に返信され、そこに表示することができるように構成されているものとする。
【００２２】
制御用サーバー２は、移動体通信装置１及びユーザ携帯端末７からのメールを受信するメール受信部２１と、移動体通信装置１とユーザ携帯端末７から受信した両メールに記録されているＩＤ情報を比較するＩＤ比較部２２と、ユーザ携帯端末７にメールを返信するメール送信部２３とから構成されている。制御用サーバー２は、有線通信網４及びＩＳＰ５２を介して公衆ネットワーク６に常時接続されている。一方、ユーザー携帯端末７は、移動体通信網３２及びＩＳＰ５３を介して公衆ネットワーク６に接続される。
【００２３】
図２は、図１の移動体通信装置制御システムにおいて、ユーザが設定を行なう場合の処理フローの一例を示す図である。図２では、移動体通信装置１の処理を点線１ａで、制御用サーバー２の処理を一点鎖線２ａで、ユーザ携帯端末７の処理を二点鎖線７ａでそれぞれ示している。なお、ここでは移動体通信装置のＩＤ情報として移動体通信装置１に割当てられている電話番号を利用することにする。
【００２４】
まず、移動体通信装置側処理の第１のステップＳ１ａ１では、ユーザが設定情報格納部１６に格納されている設定情報を修正・追加・削除する場合に、移動体通信装置側の処理として、設定モードボタン１０を操作（押下）するという処理を行なう。
次に移動体通信装置側処理の第２のステップＳ１ａ２では、前記第１のステップＳ１ａ１の処理により、設定モード検出部１１が設定モードの要求ということを認識し、移動体通信制御部１２を用いて、移動体通信網３１を経由して移動体通信装置１が接続契約をしているＩＳＰ５１にダイヤルアップ接続処理を行なう。
【００２５】
移動体通信装置側処理の第３のステップＳ１ａ３では、ダイヤルアップ接続処理によって移動体通信網３１及びＩＳＰ５１を介して移動体通信装置１が公衆ネットワーク６に接続される。このステップＳ１ａ３によって公衆ネットワーク６への接続が完了した時点で、ＩＳＰ５１から移動体通信装置１にグローバルネットワークアドレスが割振られるので、移動体通信装置１はこのグローバルネットワークアドレスに関する情報を一時的に記憶する。
移動体通信装置側処理の第４のステップＳ１ａ４では、移動体通信装置１は、ＩＤ情報として割当てられている電話番号と一時的に記憶しているグローバルネットワークアドレスを含む設定用ＵＲＬをメールの本文に記載し、予め登録してある制御用サーバー２のメールアドレスにメール送信部１３を使って送信する。
【００２６】
一方、ユーザ携帯端末７の処理の第１のステップＳ７ａ１では、ユーザがその携帯端末７を用いて予め接続契約をしているＩＳＰ５３を経由して制御用サーバー２のメールアドレスに、移動体通信装置１に割当てられている電話番号（移動体通信装置のＩＤ）を本文に記載したメールを送信する。
【００２７】
制御用サーバー側処理の第１のステップＳ２ａ１では、移動体通信装置１から送信されてきたメールをメール受信部２１で受信し、その第２のステップＳ２ａ２では、ユーザ携帯端末７から送信されてきたメールをメール受信部２１で受信する。なお、この制御用サーバー側処理の第１のステップＳ２ａ１と第２のステップＳ２ａ２はそれぞれ順序が入れ代わっても良い。制御用サーバー側処理の第３のステップＳ２ａ３では、双方のメールの本文にＩＤ情報として記載されている移動体通信装置１の電話番号をそれぞれ読出し、両方の電話番号をＩＤ比較部２２で比較し、一致しているか否かの判定を行なう。
【００２８】
制御用サーバー側処理の第４のステップＳ２ａ４では、双方のＩＤ情報が相違していた（不一致の場合）場合に実行される処理であり、制御用サーバー２はユーザ携帯端末７に対してＩＤ情報が違っている旨の情報を記載したメールを返信する。
一方、制御用サーバー側処理の第５のステップＳ２ａ５では、ＩＤ情報が一致していた場合に実行される処理であり、制御用サーバー２はユーザ携帯端末７に対して、移動体通信装置１から送信されてきたメールからグローバルネットワークアドレスを含む設定用ＵＲＬをメール本文に転記し、その設定用ＵＲＬの情報を含んだメールをユーザ携帯端末７へ返信する。
【００２９】
ユーザ携帯端末側処理の第２のステップＳ７ａ２では、制御用サーバー２から返信されてきたメールを受信し、このメール本文に記載してあるＩＤ情報が違っている旨の情報をユーザ携帯端末７の表示部に表示する。従って、ユーザはＩＤ情報を間違えたことを認識することができるので、再度、ステップＳ７ａ１の処理として正確なＩＤ情報を記載したメールを送信することによって、設定用ＵＲＬの情報を含んだメールを受信することができる。これによって、正確なＩＤ情報を知らない他人による不正なアクセスを未然に防止することができる。
【００３０】
一方、ユーザ携帯端末側処理の第３のステップＳ７ａ３では、制御用サーバー２から返信されてきたメールを受信し、ユーザ携帯端末のメール本文に記載してあるグローバルネットワークアドレスを含む設定用ＵＲＬをユーザ携帯端末７の表示部に表示する。ユーザ携帯端末側処理の第４のステップＳ７ａ４では、表示部に表示された設定用ＵＲＬにアクセスすることにより、ユーザ携帯端末７を用いて移動体通信装置１のＷＷＷサーバにアクセスが可能となり、ＷＷＷサーバ経由で移動体通信装置１の設定情報を修正・追加・削除することができる。ユーザ携帯端末側処理の第５のステップＳ７ａ５では、アクセスが終了したことを受けて、ＩＳＰ５３の接続を切断し、移動体通信装置側処理の第５のステップＳ１ａ５ではＩＳＰ５１の接続を切断し、処理を終了する。
【００３１】
すなわち、この実施の形態に係る移動体通信装置制御システムでは、移動体通信装置１の設定を行う際に、ユーザは、予め移動体通信装置１に設けられた設定モードボタン１０を押す。これによって、移動体通信装置１は、設定モードボタン１０が押されたことを設定モード検出部１１で検出し、その後、移動体通信制御部１２を用いて、移動体通信網３１を経由してＩＳＰ５１に接続し、ＩＳＰ５１から割り当てられたネットワークグローバルアドレスを含む設定用ＵＲＬ及びＩＤ情報格納部１４に格納されている自機のＩＤを記載した電子メールをメール送信部１３を用いて制御用制御用サーバー２に送信する。
【００３２】
一方、ユーザは、移動体通信装置１の設定モードボタン１０を押した後、ある一定時間内にユーザ携帯端末７から移動体通信装置１のＩＤを含む内容を記載した電子メールを制御用サーバー２に送信する。制御用サーバー２は、移動体通信装置１から送信されてきた電子メールとユーザ携帯端末７から送信されてきた電子メールの双方の本文に記載してある移動体通信装置１のＩＤが一致するか否かを判定し、一致した場合は、ユーザ携帯端末７に移動体通信装置１から既に送信されてきた電子メールに記載してあるグローバルアドレスを含む設定用ＵＲＬをユーザ携帯端末７への返信用電子メールの本文に転記し、そのままユーザ携帯端末７に返信する。
【００３３】
ユーザは、返信されてきた電子メールの本文に記載してある設定用ＵＲＬにアクセスすることで、移動体通信装置の設定を行うことのできるユーザインタフェースを提供するＷＷＷサーバ１５へ直接アクセスすることができるようになり、設定の変更等の制御（具体的には、ＩＤ情報に対応したメールアドレス及び／又は電話番号の変更処理）を行うことができる。これによって、移動体通信装置１に予めユーザ携帯端末情報を設定することなしに、ユーザ携帯端末７から移動体通信装置１にアクセスし、移動体通信装置１の設定を行うことができるようになる。
【００３４】
本発明に係る移動体通信装置制御システムの動作の一例を説明する。移動体通信装置１の設定を行う場合、ユーザは設定モードボタン１０を操作する。移動体通信装置１は、設定モードボタン１０が押下されたことを設定モード検出部１１で検出した後、移動体通信網３１及び移動体通信装置１が接続契約をしているＩＳＰ５１に接続する。移動体通信装置１のメール送信部１２は、ＩＳＰ５１から割振られたグローバルネットワークアドレスを含む設定用ＵＲＬと移動体通信装置のＩＤを記載したメールを公衆ネットワーク６を経由してサーバー手段２に送信する。ユーザは、携帯端末７から移動体通信網３２、携帯端末７が接続契約をしているＩＳＰ５３および公衆ネットワーク６を介してサーバー手段２に移動体通信装置１のＩＤを記載したメールを送信する。サーバー手段２は、移動体通信装置１から送信されてきたメールの本文に記載されている移動体通信装置１のＩＤとユーザがサーバーに送信してきたメールの本文に記載してある移動体通信装置１のＩＤを比較し、記載されている移動体通信装置１のＩＤが同一であった場合、ユーザ携帯端末７に対して移動体通信装置１より送信されてきたメールの本文に記載してあるグローバルアドレスを含む設定用ＵＲＬをユーザの携帯端末７へ返信するメールの本文に転記した後、そのメールをユーザ携帯端末７に送信する。ユーザは、ユーザ携帯端末７に返信されてきたメールの本文に記載されている移動体通信装置１のグローバルアドレスを含む設定用ＵＲＬをアクセスすることで、移動体通信装置１のＷＷＷサーバを経由し、移動体通信装置１の設定を行うことが可能となり、移動体通信装置１にユーザ携帯端末７の情報を予め設定していなくてもユーザ携帯端末７から移動体通信装置１の設定を行うことができる。  
【００３５】
図３は、本発明に係る移動体通信装置制御システムの第２の実施の形態の基本構成を示す図である。図３において、図１と同じ構成のものには同一の符号が付してあるので、その説明は省略する。図３の移動体通信装置制御システムが図１のものと異なる点は、設定モードボタン１０を操作することが困難なような遠隔地に移動体通信装置１００が設置されている状態であっても、遠隔地からユーザ携帯端末を用いて移動体通信装置１００を設定モードに変更し、それをユーザ携帯端末に知らせることのできる発信者番号検出部１７を設けた点である。
【００３６】
図４は、第２の実施の形態に係る図３の移動体通信装置制御システムにおいて、ユーザが設定を行なう場合の処理フローを示す図である。図４では、前述と同様に、移動体通信装置１の処理を点線１ｂで、制御用サーバー２の処理を一点鎖線２ｂで、ユーザ携帯端末７の処理を二点鎖線７ｂでそれぞれ示している。なお、ここでは移動体通信装置１００のＩＤ情報として移動体通信装置１００に予め割当てられている電話番号を利用することにする。
【００３７】
ユーザが遠隔地からユーザ携帯端末７を用いて設定を行う場合には、まず、ユーザ携帯端末側処理の第１のステップＳ７ｂ１で、最初にユーザ携帯端末７から発信者番号通知モードで移動体通信装置１００に対して発呼を行う。
【００３８】
ユーザ携帯端末７から発信者番号通知モードで移動体通信網３２、公衆網８及び移動体通信網３１を経由して発呼されてきた場合、移動体通信装置側処理の第１のステップＳ１ｂ１では、移動体通信装置１００が、移動体通信制御部１２を介して得られる発信者番号を発信者番号検出部１７で検出しつづけ、その発呼状態がある一定時間継続している場合すなわち１コール以上ウェイトした後にその発呼が設定モードの要求であると認識する。その認識後、第２のステップＳ１ｂ２では、発信者番号を一時記憶するとともにユーザ携帯端末と接続する。このように一定時間継続して発呼があることを確認するのは、ワン切り対策のために必要な動作である。次の第３のステップＳ１ｂ３では、発信者番号を一時記憶した後に、すぐに接続を切断する。
【００３９】
第４のステップＳ１ｂ４では、移動体通信制御部１２を使い、移動体通信網３１を経由して移動体通信装置１００が接続契約をしているＩＳＰ５１にダイヤルアップし、第５のステップＳ１ｂ５では、ＩＳＰ５１を介して公衆ネットワーク６に接続する。この第５のステップＳ１ｂ５の処理によって公衆ネットワーク６への接続が完了した時点で、ＩＳＰ５１から移動体通信装置１００にグローバルネットワークアドレスが割振られるので、移動体通信装置１００はその情報（グローバルネットワークアドレス）を一時記憶する。
その後、移動体通信装置側処理の第６のステップＳ１ｂ６では、移動体通信装置１００が、ＩＤ情報として割当てられている電話番号と一時記憶しているグローバルネットワークアドレスを含む設定用ＵＲＬと発信者番号検出部１７で一時記憶していた発信者番号をメールの本文に記載し、予め登録してある制御用サーバー２のメールアドレスにメール送信部１３を使って送信する。
【００４０】
一方、ユーザ携帯端末側処理の第１のステップＳ７ｂ１では、ユーザが移動体通信装置１００へ発呼した後、移動体通信装置１００によって接続されると同時にその直後に切断されるので、次の第２のステップＳ７ｂ２では、切断された後に、ユーザはユーザ携帯端末７からユーザ携帯端末が接続契約をしているＩＳＰ５３経由で制御用サーバー２のメールアドレスに、移動体通信装置１００に割当てられている電話番号（移動体通信装置のＩＤ）とユーザ携帯端末自身の電話番号をメール本文に記載して送信する。
【００４１】
制御用サーバー側処理の第１のステップＳ２ｂ１では、移動体通信装置１００から送信されてきたメールをメール受信部２１で受信し、その第２のステップＳ２ｂ２では、ユーザ携帯端末７から送信されてきたメールをメール受信部２１で受信する。なお、この制御用サーバー側処理の第１のステップＳ２ｂ１と第２のステップＳ２ｂ２はそれぞれ順序が入れ代わっても良い。制御用サーバー側処理の第３のステップＳ２ｂ３では、双方のメールの本文にＩＤ情報として記載されている移動体通信装置１００の電話番号とユーザ携帯端末７の電話番号を読出し、両方の電話番号が一致しているか否かの比較をＩＤ比較部２２で行う。
【００４２】
制御用サーバー側処理の第４のステップＳ２ｂ４では、移動体通信装置１００の電話番号とユーザ携帯端末７の電話番号の１つでも違っていた場合すなわち双方のＩＤ情報が相違していた（不一致の）場合に実行される処理であり、制御用サーバー２はユーザ携帯端末７に対してＩＤ情報が違っている旨の情報を記載したメールを返信する。
一方、制御用サーバー側処理の第５のステップＳ２ｂ５では、移動体通信装置１００の電話番号とユーザ携帯端末７の電話番号の２つとも一致していた場合すなわちＩＤ情報が一致していた場合に実行される処理であり、制御用サーバ２はユーザ携帯端末７に対して、移動体通信装置１００から送信されてきたメールからグローバルネットワークアドレスを含む設定用ＵＲＬをメール本文に転記し、その設定用ＵＲＬの情報を含んだメールをユーザ携帯端末７へ返信する。
【００４３】
ユーザ携帯端末側処理の第３のステップＳ７ｂ３では、制御用サーバー２から返信されてきたメールを受信した場合に、メール本文に記載してあるＩＤ情報が間違っている旨の情報をユーザ携帯端末７に表示部に表示する。従って、ユーザは、ＩＤ情報を間違えたことを認識することができるので、再度、ステップＳ７ｂ２の処理として正確なＩＤ情報を記載したメールを送信することによって、設定用ＵＲＬの情報を含んだメールを受信することができる。これによって、正確なＩＤ情報を知らない他人による不正なアクセスを未然に防止することができる。
【００４４】
一方、ユーザ携帯端末側処理の第４のステップＳ７ｂ４では、制御用サーバー２から返信されてきたメールを受信し、ユーザ携帯端末のメール本文に記載してあるグローバルネットワークアドレスを含む設定用ＵＲＬをユーザ携帯端末７の表示部に表示する。ユーザ携帯端末側処理の第５のステップＳ７ｂ５では、表示部に表示された設定用ＵＲＬにアクセスすることにより、ユーザ携帯端末７を用いて移動体通信装置１のＷＷＷサーバにアクセスが可能となり、ＷＷＷサーバ経由で移動体通信装置１の設定情報を修正・追加・削除などの必要項目設定作業（具体的には、ＩＤ情報に対応したメールアドレスの変更処理）を行うことができる。ユーザ携帯端末側処理の第６のステップＳ７ｂ６では、アクセスが終了したことを受けて、ＩＳＰ５３の接続を切断し、移動体通信装置側処理の第７のステップＳ１ｂ７ではＩＳＰ５１の接続を切断し、処理を終了する。
【００４５】
ユーザが移動体通信装置１の設定を行う場合、ユーザ携帯端末７から移動体通信装置１に発信者番号通知モードで発呼する。移動体通信装置１は、ユーザ携帯端末７から発信者番号通知モード発呼を受け付けた後、移動体通信網３１及び移動体通信装置１が接続契約をしているＩＳＰ５１に接続する。そして、移動体通信装置１は、ユーザ携帯端末７の発信者番号と移動体通信装置１にＩＳＰ５１から割振られたグローバルネットワークアドレスを含む設定用ＵＲＬと移動体通信装置１のＩＤを記載したメールを公衆ネットワーク６を経由してサーバーに送信する。ユーザは、ユーザ携帯端末７から移動体通信網およびユーザ携帯端末７が接続契約をしているＩＳＰ５３および公衆ネットワーク６を通じてサーバー手段２にユーザ携帯端末７の電話番号と移動体通信装置１のＩＤを記載したメールを送信する。
【００４６】
サーバー手段２は、移動体通信装置１から送信されてきたメールの本文に記載されているユーザ携帯端末７の発信者番号と移動体通信装置１のＩＤとユーザがサーバー手段２に送信してきたメールの本文に記載してあるユーザ携帯端末７の電話番号と移動体通信装置１のＩＤを比較し、記載されているユーザ携帯端末７の電話番号と移動体通信装置１のＩＤが同一であった場合、ユーザ携帯端末７に対して移動体通信装置１より送信されてきたメールの本文に記載してあるグローバルアドレスを含む設定用ＵＲＬをユーザ携帯端末７へ返信するメールの本文に転記した後、メールをユーザ携帯端末７に送信する。ユーザは、ユーザ携帯端末７に返信されてきたメールの本文に記載されている移動体通信装置１のグローバルアドレスを含む設定用ＵＲＬをアクセスすることで、移動体通信装置１のＷＷＷサーバを経由し、移動体通信装置１の設定を行うことが可能となり、移動体通信装置１にユーザ携帯端末７の情報を予め設定していなくても、また、移動体通信装置１がユーザの近くではなく遠隔地に存在していてもユーザ携帯端末７から移動体通信装置１の設定を行うことができる。
【００４７】
すなわち、この実施の形態に係る移動体通信装置制御システムの特徴は、更に移動体通信装置１が設定を行う際のタイミングを知るために、発信者番号通知の検出部１７を設け、設定を行う際には、ユーザが、移動体通信装置１に対して、発信者番号通知モードで発呼するようにした点にある。移動体通信装置１は、発信者番号通知での着呼を受付け、ある一定時間着呼が続いた場合に発信者番号検出部１７にて設定モードであることを認識し、発信者番号を一時記憶した後、回線と接続し、すぐ切断する。その後、移動体通信装置１が接続契約をしているＩＳＰ５１に接続し、公衆ネットワーク６経由で定められたサーバー手段２に移動体通信装置１が一時記憶していた発信者番号と自機ＩＤと移動体通信装置１が接続契約をしているＩＳＰから割振られるグローバルネットワークアドレスを含む設定用ＵＲＬを記載したメールを送信する。この後、ユーザは、ユーザ携帯端末７から同じサーバー手段２に対し、ユーザ携帯端末７の電話番号（移動体通信装置１のＩＤを含む場合もある）と移動体通信装置１のＩＤ情報を記載したメールを送信する。
【００４８】
サーバー手段２は、移動体通信装置１及びユーザ携帯端末７から送信されてきた双方のメールの本文に記載されているユーザ携帯端末７の電話番号と移動体通信装置１のＩＤ情報を比較する。ユーザ携帯端末７の電話番号と移動体通信装置１のＩＤ情報の２つが一致した場合のみ、移動体通信装置１のグローバルネットワークアドレスを含む設定用ＵＲＬを記載したメールをユーザ携帯端末７に返信し、ユーザ携帯端末７の電話番号と移動体通信装置１のＩＤ情報の１つでも一致していなかった場合は、その旨を記載したメールをユーザ携帯端末７に返信する。ユーザは、２つの比較情報が一致していた場合にのみ送信されてくるサーバーからの返信メールに記載されている設定用ＵＲＬにアクセスすることにより、移動体通信装置１のＷＷＷサーバ経由で移動体通信装置１の設定情報の追加、修正等が可能となる。
【００４９】
図５は、上述の第１の実施の形態に係る図２の移動体通信装置制御システムの処理フローの変形例を示す図である。図６は、上述の第２の実施の形態に係る図４の移動体通信装置制御システムの処理フローの変形例を示す図である。図２及び図４では、ユーザ携帯端末側処理によって、グローバルネットワークアドレスを含む設定用ＵＲＬにアクセスして、移動体通信装置１の設定情報を修正・追加・削除などの必要項目設定作業を行う場合について説明したが、図５及び図６の変形例では、制御用サーバー２の処理によって、図５では移動体通信装置１００の電話番号が一致していた場合、図６では移動体通信装置１００の電話番号とユーザ携帯端末７の電話番号の２つとも一致していた場合すなわちＩＤ情報が一致していた場合、ステップＳ２ａ６又はステップＳ２ｂ６で、制御用サーバ２が設定用ＵＲＬに直接アクセスして、移動体通信装置１の設定情報を修正・追加・削除などの必要項目設定作業を行い、ステップＳ２ａ８又はステップＳ２ｂ８で、ユーザ携帯端末７へ設定作業が終了したこともメールで通知し、ユーザ携帯端末側処理のステップＳ７ａ３又はステップＳ７ｂ４では、そのメールを受信し、設定の終了を認知する。これによって、ユーザ側の負担を軽減することができる。
【００５０】
図７は、本発明に係る移動体通信装置制御システムの第３の実施の形態の基本構成を示す図である。図７において、図３と同じ構成のものには同一の符号が付してあるので、その説明は省略する。図３の移動体通信装置制御システムが図３のものと異なる点は、ユーザの登録メールアドレスまたは登録電話番号が変わった場合に移動体通信装置側の設定モードボタンの押下をせずとも登録変更ができる手段（移動体通信制御部、ユーザＩＤ・パスワード比較部及びユーザＩＤ・パスワード生成部）をサーバー２側に設けた点である。
【００５１】
図８は、第３の実施の形態に係る図７の移動体通信装置制御システムにおいて、ユーザが設定を行なう場合の処理フローを示す図である。図９は、ユーザがユーザ携帯端末を用いてサーバーに予めＩＤ等を設定する場合の処理の一例を示す図である。図８及び図９では、前述と同様に、移動体通信装置１の処理を点線１ｂで、制御用サーバー２の処理を一点鎖線２ｂで、ユーザ携帯端末７の処理を二点鎖線７ｂでそれぞれ示している。
【００５２】
図９に示すように、ユーザ携帯端末側処理の第１のステップＳ７ｄ１では、あらかじめユーザがユーザ携帯端末よりサーバー２に移動体通信装置側のＩＤ情報（電話番号）、ユーザ携帯端末側の電話番号及びユーザ携帯端末側のメールアドレスを記載した内容のメールを送信する。
制御用サーバー側処理の第１のステップＳ２ｄ１で、そのメールを受信し、第２のステップＳ２ｄ２で、そのメールに記載されている情報をもとにユーザＩＤとパスワードを生成し、第３のステップＳ２ｄ３で、そのユーザＩＤとパスワードを記載したメールをユーザ携帯端末へ返信する。このときに、生成されるユーザＩＤとパスワードは、前述のユーザ携帯端末側からのメールに記載された情報に従って、サーバー２が所定のアルゴリズムによって自動的に生成する
ユーザ携帯端末側処理の第２のステップＳ７ｄ２では、ユーザＩＤとパスワードの記載されたメールを受信し、次の第３のステップＳ７ｄ３で、これらのユーザＩＤとパスワードをユーザ携帯端末７側に保管する。
【００５３】
サーバー２には、移動体通信制御部２４、ユーザＩＤ・パスワード生成部２５及びユーザＩＤ・パスワード比較部２６が新たに設けられている。また、前述の処理によって、ユーザすなわちユーザ携帯端末側には、サーバー２から与えられた（メールで返信された）ユーザＩＤとパスワードが保存されている。さらに、移動体通信装置１００側には、発信者番号検出用として、サーバー２の発信者番号があらかじめ登録されているものとする。
【００５４】
この状況下で、ユーザ携帯端末の電話番号またはメールアドレスが変わってしまい、遠隔地に存在している移動体通信装置の設定内容を変更するための一連の処理について説明する。まず、ユーザは、図８のユーザ携帯端末側処理の第１のステップＳ７ｃ１の処理では、以下の情報をメールに記載し、サーバー２へ送信する。記載する情報は、サーバーより与えられているユーザＩＤ・パスワード、移動体通信装置側のＩＤ情報（電話番号）、変更前のユーザ携帯端末側の電話番号、変更前のユーザ携帯端末側のメールアドレスである。
【００５５】
制御用サーバー側処理の第１のステップＳ２ｃ１では、サーバー２は、ユーザ携帯端末からのメールを受信し、次の第２のステップＳ２ｃ２で、受信したメールの情報（変更前の電話番号／メールアドレス）に基づいてユーザＩＤ・パスワード生成部２５で再度、ユーザＩＤ・パスワードを生成し、第３のステップＳ２ｃ３で、ユーザから送信されてきたメールに記載されているユーザＩＤ・パスワードと、今回新たに生成されたユーザＩＤ・パスワードとを比較する。ステップＳ２ｃ３の比較処理の結果、両者が一致していない場合には、第４のステップＳ２ｃ４で、その旨をユーザ携帯端末へメールで返信する。ユーザ携帯端末側処理の第２のステップＳ７ｃ２では、制御用サーバー２から返信されてきたメールを受信した場合に、メール本文に記載してあるＩＤ情報が間違っている旨の情報をユーザ携帯端末７に表示部に表示する。従って、ユーザは、ＩＤ情報を間違えたことを認識することができるので、再度、ステップＳ７ｃ１の処理で正確な情報を記載したメールを送信することによって、設定用ＵＲＬの情報を含んだメールを受信することができる。これによって、正確な情報を知らない他人による不正なアクセスを未然に防止することができる。逆に、両者が一致している場合は、第５のステップＳ２ｃ５で、移動体通信装置１００に対し、移動体通信制御部２４を用いて、発信者番号通知での発呼を行う。
【００５６】
移動体通信装置側処理の第１のステップＳ１ｃ１では、移動体通信装置１００が、移動体通信制御部１２を介して得られる発信者番号を発信者番号検出部１７で検出しつづけ、その発呼状態がある一定時間継続している場合すなわち１コール以上ウェイトした後にその発呼が設定モードの要求であると認識する。その認識後、第２のステップＳ１ｃ２では、発信者番号を一時記憶するとともにユーザ携帯端末と接続する。このように一定時間継続して発呼があることを確認するのは、ワン切り対策のために必要な動作である。次の第３のステップＳ１ｃ３では、発信者番号を一時記憶した後に、すぐに接続を切断する。
【００５７】
移動体通信装置側処理の第４のステップＳ１ｃ４では、移動体通信制御部１２を使い、移動体通信網３１を経由して移動体通信装置１００が接続契約をしているＩＳＰ５１にダイヤルアップし、第５のステップＳ１ｃ５では、ＩＳＰ５１を介して公衆ネットワーク６に接続する。この第５のステップＳ１ｃ５の処理によって公衆ネットワーク６への接続が完了した時点で、ＩＳＰ５１から移動体通信装置１００にグローバルネットワークアドレスが割振られるので、移動体通信装置１００はその情報（グローバルネットワークアドレス）を一時記憶する。
その後、移動体通信装置側処理の第６のステップＳ１ｃ６では、移動体通信装置１００が、ＩＤ情報として割当てられている電話番号と一時記憶しているグローバルネットワークアドレスを含む設定用ＵＲＬと発信者番号検出部１７で一時記憶していた発信者番号をメールの本文に記載し、予め登録してある制御用サーバー２のメールアドレスにメール送信部１３を使って送信する。
【００５８】
制御用サーバー側処理の第６のステップＳ２ｃ６では、移動体通信装置１００から送信されてきたメールをメール受信部２１で受信し、次の第７のステップＳ２ｃ７では、移動体通信装置１００から送信されてきたメールの設定ＵＲＬをユーザ携帯端末への返信メールに転記し、ユーザ携帯端末へメール送信する。
【００５９】
一方、ユーザ携帯端末側処理の第３のステップＳ７ｃ３では、制御用サーバー２から返信されてきたメールを受信し、ユーザ携帯端末のメール本文に記載してあるグローバルネットワークアドレスを含む設定用ＵＲＬをユーザ携帯端末７の表示部に表示する。ユーザ携帯端末側処理の第４のステップＳ７ｃ４では、表示部に表示された設定用ＵＲＬにアクセスすることにより、ユーザ携帯端末７を用いて移動体通信装置１００のＷＷＷサーバにアクセスが可能となり、ＷＷＷサーバ経由で移動体通信装置１００の設定情報を修正・追加・削除などの必要項目設定作業（具体的には、ＩＤ情報に対応したメールアドレスや電話番号の変更処理）を行うことができる。ユーザ携帯端末側処理の第５のステップＳ７ｃ５では、アクセスが終了したことを受けて、ＩＳＰ５３の接続を切断し、移動体通信装置側処理の第７のステップＳ１ｃ７ではＩＳＰ５１の接続を切断し、処理を終了する。尚、これも、必要項目の設定情報を予め前述のユーザ携帯端末側からのメールに記載していれば、サーバーが自動的に必要項目の設定作業を行うこともできる。
【００６０】
なお、本発明は、上記実施の形態のみに限定されるものではなく、各実施の形態を適宜組み合わせてもよい。また、本発明の移動体通信網とは、携帯電話網やＰＨＳ網等、公衆網経由で発信者番号通知付き発呼を受けるとこができるものであればよい。さらに、移動体通信装置を特定するためのＩＤとしては、移動体通信装置１に割り付けられている電話番号及び／又はユーザ携帯端末７に割り当てられている電話番号を使用することができ、これ以外にも通信端末手段及び移動体通信装置を特定することが可能な情報をＩＤ情報として用いてもよい。例えば、通信端末手段側が固定のグローバルアドレスを使用している場合にはそれをＩＤ情報として使用することも可能である。上述の実施の形態では、設定用ＵＲＬを送信する場合について説明したが、特許文献１に記載されたもののように、電子機器からの情報等をユーザの通信端末側で確認するための情報配信用ＵＲＬを併せて送信するようにしてもよい。この場合、ユーザの通信端末側には、設定用ＵＲＬと通常の情報配信用ＵＲＬが表示されるので、通常は情報配信用ＵＲＬを選択し、移動体通信装置側の各種設定を行う場合に設定用ＵＲＬを選択するようにすればよい。  
【００６１】
以上のように、この実施の形態によれば、移動体通信装置に予めユーザ携帯端末の情報を設定していなくても、あるいはユーザ携帯端末のメールアドレスや電話番号等の変更が行われた後からでも移動体通信装置にユーザ携帯端末からアクセスすることができ、移動体通信装置の各種設定を行うことが可能になる。また、移動体通信装置がユーザの近くではなく遠隔地に存在していてもユーザ携帯端末から移動体通信装置の設定を行うことが可能になる。
【図面の簡単な説明】
【００６２】
【図１】本発明に係る移動体通信装置制御システムの基本構成を示す図である。
【図２】図１の移動体通信装置制御システムにおいて、ユーザが設定を行なう場合の処理フローを示す図である。
【図３】本発明に係る移動体通信装置制御システムの第２の実施の形態の基本構成を示す図である。
【図４】図２の移動体通信装置制御システムにおいて、ユーザが設定を行なう場合の処理フローを示す図である。
【図５】第１の実施の形態に係る図２の移動体通信装置制御システムの処理フローの変形例を示す図である。
【図６】第２の実施の形態に係る図４の移動体通信装置制御システムの処理フローの変形例を示す図である。
【図７】本発明に係る移動体通信装置制御システムの第３の実施の形態の基本構成を示す図である。
【図８】第３の実施の形態に係る図７の移動体通信装置制御システムにおいて、ユーザが設定を行なう場合の処理フローを示す図である。
【図９】ユーザがユーザ携帯端末を用いてサーバーに予めＩＤ等を設定する場合の処理の一例を示す図である。
【符号の説明】
【００６３】
１，１００…移動体通信装置
２  …サーバー
４  …有線通信網
６  …公衆ネットワーク
７  …ユーザ携帯端末
８  …公衆網
１０…設定モードボタン
１１…設定モード検出部
１２…移動体通信制御部
１３…メール送信部
１４…ＩＤ情報格納部
１５…ＷＷＷサーバ
１６…設定情報
１７…発信者番号検出部
２１…メール受信部
２２…ＩＤ比較部
２３…メール送信部
３１，３２…移動体通信網
５１…ＩＳＰ
５２…ＩＳＰ
５３…ＩＳＰ
【図１】
2007184886.tif 000003
【図２】
2007184886.tif 000004
【図３】
2007184886.tif 000005
【図４】
2007184886.tif 000006
【図５】
2007184886.tif 000007
【図６】
2007184886.tif 000008
【図７】
2007184886.tif 000009
【図８】
2007184886.tif 000010
【図９】
2007184886.tif 000011